(57)【特許請求の範囲】
【請求項１】
海水又は淡水を入れた活魚用容器に対応して、この活魚用容器の内部に水浄化装置を設け、
この水浄化装置の容器内部に、一端と他端とに開口部を持つが全体を大気に対して閉塞された空間を持ち、かつ上記一端に空気を強制的に注入するようにした上で、注入された空気が上部天井にも蓄積されつつ流通するようにされた微生物育成室を設け、
この微生物育成室は、
室内に、微生物が生育している微生物生育材が存在し、かつ活魚用容器の海水又は淡水が上記一端から他端に向かって循環し、
上記一端に、微生物を活性化する空気を強制的に注入する空気注入手段が取付けられ、
室内を、活魚用容器から流入された海水又は淡水と強制的に注入された空気とが上記一端から上記他端に向かって流通し、
上記他端に、微生物育成室内を流通した海水又は淡水を排出する排水装置と、微生物育成室内を流通した空気を排出する空気抜き装置とが設けられ、
この排水装置を介して排出される海水又は淡水は活魚用容器内の海水又は淡水内に放出され、空気抜き装置を介して排出される空気は大気中に放出される、
よう構成された
ことを特徴とした、水浄化装置。
【発明の詳細な説明】
【０００１】
【発明の属する技術分野】
本発明は、海水による浄化装置や魚などの飼育水槽の酸素供給に於いて、空気や酸素の立ち上がる泡が水面ではじけた際に、飛び散った塩分が活魚容器の上部に乾いて付着して起こる（塩だれ）を防止すると共に、フイルターでは取れない水の濁りの原因になる微細なゴミを取り除く水浄化装置に関するものである。
【０００２】
【従来の技術】
従来の海水の浄化装置や濾過水槽などの水中えの酸素供給には、例えば純酸素の断続的供給又はエアーポンプによる空気の連続的供給が用いられていた。即ち、
（Ａ）  密閉された純酸素室内を海水が循環することで酸素を補給する純酸素濾過装置を用いて、例えば水槽内に沈めた当該純酸素濾過装置内で酸素を溶解させる方法が提案されている。（例えば実用新案登録第２５４０３３８号、および
平成  ９年特許願第２９５３６０号参照。）
（Ｂ）  エアーポンプや水中ポンプに連動したストレーナーやシャワーパイプにより連続的に水中に空気や酸素を送り込み酸素を供給する方法が多くおこなわれている。
【０００３】
【発明が解決しようとする課題】
しかしながら、これらには、次のような欠点があった。
（ａ）  酸素を多く注入しすぎると溢れた酸素が循環モーター部分から細かい泡になって噴き出し、泡がはじけて塩だれを起こす欠点がある。
（ｂ）又必要に応じて酸素を補給しなければならない欠点があり、長期間家を空ける場合はエアーポンプによる酸素補給を余儀なくされ（ａ）に言う所の塩だれを起こす欠点がある。
（ｃ）フイルターでは取れない微細なゴミが浮遊して水の濁りを起こす欠点がある。
【０００４】
（ｄ）水中を立ち上がる泡がはじける際に海水中の塩分が飛散し水槽の上部に被着し塩だれの原因になる欠点がある。
尚塩だれとは、泡がはじけて水槽面に被着した塩分が乾いて、幾層にも重なり石質化し美観を損うと共に、外部モーター部等に被着して漏電等の危険があるものであり、従来の海水魚飼育においての悩みであった。
【０００５】
本発明は、これらの欠点を解消するためになされたものであり、海水魚飼育において悩みであった塩だれ、及び水の濁りを起こさない水浄化装置を提供することを目的とする。
【０００６】
【課題を解決するための手段】
本発明は、上記目的を達成するために、例えば海水を入れた活魚用容器に対応して、この活魚用容器の内部に水浄化装置を設け、この水浄化装置の容器内部に、空気（本明細書においては、特別断らない限り酸素又は空気のいずれかを意味するものとする）を連続して注入して、海水に酸素を溶け込ます微生物育成室を設け、この微生物育成室に活魚容器の海水が循環すると共に、微生物育成室から溢れた空気を空気抜き筒から排出して塩だれを防ぐと共に、その際に微細なゴミをもとることが出来ることを特徴としている。
尚この水浄化装置を淡水に使用しても何ら不都合を生じることはない。
【０００７】
【発明の実施の形態】
本発明の実施の形態を添付図面を参照して説明すると図１は本発明実施例水浄化装置を示す正面図であり、図２は同装置の一部欠き正面図、図３は図２のＸ１−Ｘ１線に沿った断面図、図４は図２のＸ２−Ｘ２線に沿った断面図、図５は図２のＸ３−Ｘ３線に沿った断面図、図６は図２のＸ４−Ｘ４線に沿った断面図、図７は図２のＹ１−Ｙ１線に沿った断面図、図８は図２のＹ２−Ｙ２線に沿った断面図、図９は図２のＹ３−Ｙ３線に沿った断面図、図１０は図２のＹ４−Ｙ４線に沿った断面図、図１１は図２のＹ５−Ｙ５線に沿った断面図、図１２は図２のＹ６−Ｙ６線に沿った断面図、図１３はＹ７−Ｙ７線に沿った断面図、図１４及び図１５は、同装置の使用中の動作を説明するための断面図で、図１４に示す同装置部分は図２のＸ１−Ｘ１線に沿った断面図、又図１５に示す同装置部分は図２のＸ４−Ｘ４線に沿った断面図、図１６は同装置の斜視図、図１７は水取り入れ装置４の断面図、図１８、１９は空気抜き装置２０のの断面図、図２０は空気抜き部の拡大断面図、図２１は空気抜き部の斜視図である。
【０００８】
図１において、１は本発明実施例の水浄化装置を示しており、１Ａはその装置の容器であり、この容器１Ａには、蓋板１Ｂが装着されている。
【０００９】
その蓋板１Ｂには、空気注入パイプ３、水取入口装置４、排水装置５、空気抜き装置２０、が装着されている。
次に図２に示すように、前記空気注入パイプ３の下方には、好気性微生物育成室１０が形成され、前記水取入口装置４の下方には、水取入室７が形成され、前記空気抜き装置２０の下方には、空気抜き室６が形成され、更に、排水装置５の下方には、排水室８が形成されている。
【００１０】
そして、この水浄化装置１の容器１Ａには、前記空気注入パイプ３よりエアーストーン３０Ａを介して空気が流入するようにした好気性微生物育生室１０と、該空気が全く流入することが無いようにした嫌気性微生物育生室１１とが形成され、この両者の育生室１０，１１間は仕切板１１Ａで仕切られている。
【００１１】
上記育成室１０と、水取入室７との間は仕切板６Ａと水取り入れ口仕切板１４Ａとが装着されている。嫌気性微生物育生室１１は図３に示すように、水取入室７との境や排水室８との境には、小孔１３を穿設した小孔仕切板１２Ａと１２Ｂとが装着されている。そして、空気抜き室６と排水室８との間は下方部が開口した排水口仕切板１４Ｃが装着されている。前記好気性微生物育生室１０には、図４に示すように、空気注入パイブ３を接続する接続器９とエアーチューブ３１Ａを介してエアーストーン３０Ａと接続されている。
【００１２】
この好気性微生物育生室１０は、図２に示すように、嫌気性微生物育生室１１との間の仕切板１１Ａから該好気性微生物育生室１０の中間迄を仕切るようにした３枚の中間仕切板１５Ａ、１５Ｂ、１５Ｃと、装置１の容器１Ａの側板１Ｄから該好気性微生物育成室１０の中間まで仕切るようにした２枚の中間仕切板１６Ａ、１６Ｂとが図示のように交互に設置されている。又中間仕切板１５Ｃと空気抜き室仕切板１４Ｂは仕切板１１Ａとで好気生微生物育成室性１０を形成している。
【００１３】
そして、前記３枚の中間仕切板１５Ａ、１５Ｂ、１５Ｃ、と２枚の中間仕切板１６Ａ、１７Ｂ、との間に、図２、図５乃至図１３に示すように、小孔１３を多数穿設した３枚の多孔中間床板１７Ａ、１７Ｂ、１７Ｃが水中に設置されて好気性微生物育生室１０をいわば２階建てにしている。そしてその多孔中間床板１７Ａ、１７Ｂ、１７Ｃの中央側には、その多孔中間床板１７Ａ、１７Ｂ、１７Ｃから上方に若干突出させた６枚の仕切堰板１８Ａ〜１８Ｆには小孔１３を穿設しており、１８Ａ、１８Ｃ、１８Ｅ、の下部を各々仕切隔壁１９Ａ、１９Ｂ、１９Ｃ、で仕切っている。
【００１４】
図１７は、水取入口装置４の一実施例を示すものであり、この装置４は、下部に複数の小孔４１を穿設した外側筒体４０と、内部に海面状ゴム等のフィルター４３、４５を装着した内側筒体４２とより成っている。把手４４の先端にフイルター４５が、握り手４６の先端にはフイルター４３が装着してある。把手４４の外側に握り手４６が、鞘のようにはめることができるダブルフイルターになっており、排水装置５を作動したままで、握り手４６を引き抜いてフイルター４３を掃除する場合、フイルター４５で水浄化装置１内にゴミが流入するのを防ぐことができる。
【００１５】
そこで、この水取入口装置４は、矢印ａ１で示すように、小孔４１より外側筒体４０の内部に水を吸い込み、矢印ａ２で示すように上昇し、矢印ａ３で示すように、内側筒体４２の内部に吸い込まれ、フィルター４３、４５を通過して、矢印ａ４で示すように下方に吐出する。
【００１６】
空気抜き装置２０は、図１８等が示すように、泡防止ネット２２を詰めた空気抜き筒２４と、ウールマット２９等を詰めた水溜まり２５と、水はね防止蓋２１からなっている。
【００１７】
好気性微生物育成室１０内にエアーストーン３０Ａから注入されあふれた空気が、矢印ｂ１で示すように、空気抜き室仕切板１４Ｂを越えて空気抜き室６に入り更に空気抜き室６であふれた空気が、空気抜き穴入口２３より矢印ｂ２で示すように排出され、矢印ｂ３で示すように泡がネット２２を伝わりな上昇することで泡の溢れる音を防止し、矢印ｂ４で示すようにウールマット２９で微細なゴミを取りあるいは水溜まり２５に沈殿させ、矢印ｂ５で示すように隙間２６から空気を排出し、矢印ｂ６で示すように水滴落とし２７を伝わって水が滴り落ちる。
【００１８】
次に、排水装置５は、図３等に示すように、水吸込筒体５０と、水中モーターポンプ部５１と、水吐出筒体５２と、水平樋部５３と、水吐出口５４とよりなっている。尚、水中モーターポンプは、周知のものを用いているので、その詳細な図面と説明は省略する。
【００１９】
図１６は、上記のように構成した本発明一実施例の水浄化装置１を装着した活魚用容器２を示している。
そして、図１４、図１５に示すように、嫌気性微生物育生室１１と好気性微生物育生室１０の内部には、バクテリア等の微生物を数多く寄生させるため、軽石等の多孔石６０Ａ、６０Ｂを適宜設置し、海水７０を容器本体２Ａ内に満杯にした後に、必要に応じて活魚８０等の魚介類とを入れる。このとき水浄化装置１の内部も満杯状態となる。この状態の下で空気注入パイプ３より好気性微生物育成室１０内にエアーストーン３０Ａを介して空気９０を注入する。この結果、好気性微生物育生室１０内では、エアーレーションの泡が海水中を通り、又天井に蓄積された空気９０の下方を海水が流れる間に当該海水７０には十分な酸素が溶け込み、微生物の育成を促し水を浄化する。更にあふれた空気は、空気抜き装置２０から排出されるため、排水装置に空気が海水と一緒に汲み上げられることがない。
【００２０】
次に、排水装置５に内蔵したモータポンプを作動させるのであるが、以下この活魚用容器２に装着した水浄化装置１の動作その他について詳細に説明する。
▲１▼  この水浄化装置１の容器１Ａは、活魚用容器２の容器本体２Ａの下方部を利用することにより、当該容器１Ａの底面板１Ｃや側板１Ｄを省略し、容器２Ａの下方に蓋板１Ｂのみを設けるようにして当該容器１Ａを構成することが出来る。
【００２１】
▲２▼  空気注入パイプ３はこれを省略して、例えばエアーポンプ（図示せず）からエアーチューブ（図示せず）を直接エアーストーンに接続し、水７０を満杯にしておいた容器１Ａの上方に空気を供給するようにすることができる。即ち図示のような空気注入パイプ３を省略することが出来る。
【００２２】
▲３▼  前記排水装置５に内蔵した水中ポンプを作動させると、活魚用容器２の容器本体２Ａ内の海水７０は、水取入口装置４を介して、水取入室７に流入するが、図１７に示す水取入口装置４の内部筒体４２に設けたフィルタ４３は、水取り入れ口４内ではなく、前記水取入室７に設置するようにしてもよい。
【００２３】
▲４▼  前記水取入室７に流入した海水７０は、図１４に示す小孔仕切板１２Ａの小孔１３を介して、嫌気性微生物育生室１１に流入し、その海水７０は小孔仕切板１２Ｂの小孔１３を介して排水室８に流入する。嫌気性微生物育生室１１内には多孔石６０Ｂが満たされ、還元バクテリアが多く繁殖するよう、バクテリアの餌となる物質を入れ、水の流水がきわめてゆっくりとなるようにされている。
【００２４】
▲５▼  一方、前記水取入室７に流入した水７０の多くは、図８に示す水取り入れ口仕切板１４Ａの流入口１３Ａを介して、好気性微生物育生室１０に流入し、隔壁１９Ａを飛び越し多孔仕切板１８Ａの小孔１３を通って図１６に波型に描いている実線矢印Ａ１で示すように、３枚の中間仕切板１５Ａ、１５Ｂ、１５Ｃと、２枚の中間仕切板１６Ａ、１６Ｂとの間を蛇行して流れる。
【００２５】
▲６▼  そして、その実線矢印Ａ１で示す蛇行中には、３枚の隔壁１９Ａ〜１９Ｃを飛び越し、多孔仕切板１８Ａ〜１８Ｆの小孔を通っ多数の小孔１３を穿設した３枚の多孔中間床板１７Ａ、１７Ｂ、１７Ｃの上方を、また上方から下方にもぐり、また下方を通って水７０が流れる。即ち、多孔石６０Ａと接触しつつ水７０が流れてゆく。
【００２６】
▲７▼  そして、前記好気性微生物育生室１０内を流れた水７０は、仕切板１４Ｂの流水口１３を通って空気抜き室６に流入し一部は空気抜き装置より排出されるが殆どの水は流水口１３Ｃを通って排水室８に流入し、前記嫌気性微生物育生室１１内を流れた水７０と共に、排水室８に設置した排水装置５の水吸込筒体５０より吸い込まれ、同装置５の水吐出口５４より吐出される。
【００２７】
▲８▼  前記好気性微生物育成室１０内の水７０の流れは、水７０の前記流れの流路上に多数の多孔石６０Ａが存在していることから、この多孔石６０Ａの存在が水の流れの抵抗となり、前記排水装置５の水吸込筒体５０に近い程その吸い込み力が強く働く。更に言えばそのようになるように排水装置５からの吸い込み力が選ばれていることから、その好気性微生物育生室１０内の水面は、図１５に破線で示す水面Ｃ１、Ｃ２、Ｃ３、のように段差が形成される。即ち自然の川で水が上流から下流に流れる間に酸素を多く取り込み浄化するのと同じように、好気生微生物育成室１０内でエアーストーン３０Ａより、空気を細かい気泡として継続して送り続け、海水７０に多くの酸素を溶解させることにより、多孔石６０Ａに多くのバクテリアを繁殖させ、水７０が仕切堰板１９Ａ〜１９Ｃを飛び越えたり多孔石６０Ａの間を川のように蛇行して流れ循環することにより濾過浄化される。
【００２８】
▲９▼  前記好気性微生物育生室１０には、好気性バクテリアが繁殖し、活魚の排泄物が変化した猛毒なアンモニアを無害に近い硝酸塩に変える働きをする。そして前記嫌気性微生物育生室１１では、還元バクテリアを繁殖させ、硝酸塩を分解する、したがって水替えををあまり必要としない。、このように両微生物育生室１０、１１内に、前記海水の水の７０を循環させると、その両微生物育生室１０、１１内の各々のバクテリアの働きにより、活魚の排泄物を分解して浄化することが出来る。
【００２９】
▲１０▼  図１９は、好気性微生物育生室１０内に、純酸素を注入して濾過を行なう場合の実施例を示すものであり、空気抜き筒２４にはエアーストーン３０Ｂをを取り付けてあり、プロテインスキマーの働きをする。  純酸素濾過の場合は純酸素を育成室１０内に貯めて水中に酸素供給を行なうため、純酸素を多く注入しすぎたとき以外は、空気抜き筒から泡が排出されることがないため水の濁りを生じることがあった。図１９で示すよう、エアーチューブ３１Ｂにエアーポンプ及びオゾナイザー（図示せず）を接続しエアーストーン３０Ｂより細かい泡を発生させ微細なゴミを取り除くと共に、オゾナイザーを通したエアーを注入することで、水の透明度を上げなお効率のよい濾過を促進することができる。
このように空気抜き装置２０は、塩垂れ防止、空気抜き、プロテインスキマー、１台で３種類の機能をはたすことができる。
【００３０】
▲１１▼  好性微生物育生室１０内の濾過の方式は図面に示した方法とは限らず、好気生微生物育生室１０内或いは任意の場所に、任意の形で多孔石６０Ａが配置され濾過層を形成されていればよい。
【００３１】
▲１２▼  本発明にいう活魚用容器２の水浄化装置１は、一般には、図１ないし図１６に示す如く容器１Ａとして図示されている如く、蓋体１Ｂと側板１Ｄと底面板１Ｃとを持っ所謂独立した箱体である。しかし、上述した如く、活魚用容器本体２Ａ（図示１４に示す）の側壁および、又は底板の夫々一部または全部を、当該活魚用容器の水浄化装置の一部に利用してもよい。即ち、当該活魚用容器の水浄化装置は、独立した箱体となっていなくて活魚用容器内に沈めて当該活魚用容器の一部を利用して、結果的に箱体が形成され、上部に空気を蓄積できるようになっていれば足りる。
【００３２】
▲１３▼  図１６に示す実施例は、水浄化装置１の容器１Ａを一個のものを示したが、この容器１Ａを複数個製作し、これを有機的に結合して用いることも出来る。即ち、同様の容器１Ａを多数段重ね合わせる共に下段の容器１Ａの排水室８からの水を上段の容器１Ａの水取入室７に結合するようにして濾過能力を上げるようにしてもよい。
【００３３】
（１４）  更にクーラーを内設して、容器本体の水７０を所定の温度に保つよう、水浄化装置付きクーラーとしてもよい。
【００３４】
▲１５▼  更に本発明の、（図示せず）空気抜き室仕切板１４Ｂを複数枚にして空気抜き室６を複数部屋形成し、各々に空気抜き室、プロテインスキマー室、炭酸ガス溶解室、と複数部屋に分け、海水７０が流れる間に、空気抜き室では溢れた空気を抜き、プロテインスキマー室ではオゾナイザーによるタンパクや微細なゴミの除去、炭酸ガス溶解室では、必要量の炭酸ガスを注入して海草の育成を促すようにしてもよい。
【００３５】
▲１６▼  前記排水装置に連動して殺菌灯を設置してもよい。
【００３７】
【発明の効果】
以上の説明で明らかなように、本発明によれば下記のような顕著な効果がある。
【００３８】
（イ）従来のように、外気から、常時、空気を連続して注入しても、水浄化装置内に一旦蓄積された空気が空気抜き装置２０から排出されるため泡が立つことがなくが無いので、塩垂れの心配が全く無い。
【００３９】
（ロ）従来の酸素濾過装置の場合は酸素を多く注入しすぎると、排水装置から泡を噴き出して塩垂れを起こしたが、本発明はその原因を完全に防止することができる。
【００４０】
（ハ）空気抜き装置が空気を排出する際、同時に微細なゴミも浮遊させ取り除くため、プロテインスキマーの役目を果たすため水の濁りを防止することができる。。
【００４１】
（ニ）本発明による水浄化装置は従来の活魚水槽内の底面部分で、従来のオーバーフロー等の高級水槽の機能をまとめて一体化することが出来るため余分な設置スペースを必要としない。
【００４２】
（ホ）嫌気性微生物育生室と共に好気性微生物育生室をもち、かつ好気性微生物育生室内でエアーレーションによる酸素供給及び、蓋板と水との間に空気を蓄積しておいて室内での水の流れを蛇行させつつ多孔石や多孔中間床板や多孔仕切板や仕切堰板を介在せしめて乱流となるようにしていることから酸素が効率よく溶解してゆくことができる。また、嫌気性微生物育成室においては脱窒素作用を同時に行うため長期間にわたって活魚用容器本体の水を長期間交換する必要がない。
【００４３】
（ヘ）純酸素又は空気よる単独、或いは純酸素と空気と併用した酸素供給が可能なため、長期間家を空ける場合でも、純酸素から空気による酸素供給に切り替えれば酸素供給の心配がない
【００４４】
（ト）前記純酸素濾過装置の場合フイルターでの物理濾過しか行われないため設置どき水が濁る欠点があったが、空気抜き装置２０（図１９）を併用することで水の濁りを防止することができる。
【００４５】
（チ）以上のように一般室内での観賞魚水槽容器として使用する場合だけでなく、車による長距離活魚輸送容器としても利用することができる。
【図面の簡単な説明】
【図１】本発明一実施例活魚用容器の水浄化装置を示す正面図である。
【図２】同装置の一部切欠き平面図である。
【図３】図２のＸ１−Ｘ１線に沿った断面図である。
【図４】図２のＸ２−Ｘ２線に沿った断面図である。
【図５】図２のＸ３−Ｘ３線に沿った断面図である。
【図６】図２のＸ１−Ｘ１線に沿った断面図である。
【図７】図２のＹ１−Ｙ１線に沿った断面図である。
【図８】図２のＹ２−Ｙ２線に沿った断面図である。
【図９】図２のＹ３−Ｙ３線に沿った断面図である。
【図１０】図２のＹ４−Ｙ４線に沿った断面図である。
【図１１】図２のＹ５−Ｙ５線に沿った断面図である。
【図１２】図２のＹ６−Ｙ６線に沿った断面図である。
【図１３】図２のＹ７−Ｙ７線に沿った断面図である。
【図１４】同装置の使用中の動作を説明するための断面図であり、同装置部分は図２のＸ１−Ｘ１線に沿った断面図である。
【図１５】同装置の使用中の動作を説明するための断面図であり、同装置部分は図２のＸ４−Ｘ４線に沿った断面図である。
【図１６】同装置の斜視図である。
【図１７】同装置の水取入口装置の断面図である。
【図１８】同装置の空気抜き装置部の断面図である。
【図１９】同装置のエアーストーンを内設した空気抜き装置部の断面図である。
【図２０】空気抜き装置の空気抜き部の断面図。
【図２１】空気抜き装置の空気抜き部の斜視図。
【符号の説明】
１・・・        水浄化装置
１Ａ・・        装置１の容器
１Ｂ・・        装置１の蓋板
１Ｃ・・        装置１の底板
１Ｄ            装置１の側板
２・・・        活魚用容器
２Ａ・・        活魚用容器本体
２Ｂ・・        活魚用容器本体の蓋体
３・・・        空気注入パイプ
３Ａ            空気注入パイプ取り付け穴
４・・・        水取入口装置
４Ａ            水取入口装置取り付け穴
５・・・        排水装置
５Ａ            排水装置取り付け穴
６・・・        空気抜き室
６Ａ・・        仕切板
７・・・        水取入室
８・・・        排水室
９・・・        空気注入パイプ接続器
１０・・        好気性微生物育生室
１１・・        嫌気性微生物育生室
１１Ａ・        仕切板
１２Ａ、１２Ｂ  小孔仕切板  （２枚）
１３・・        小孔
１３Ａ〜１３Ｃ  流水口
１４Ａ          水取り入れ口仕切板
１４Ｂ          空気抜き室仕切板
１４Ｃ          排水口仕切板
１５Ａ〜１５Ｃ  中間仕切板  （３枚）
１６Ａ、１６Ｂ  中間仕切板  （２枚）
１７Ａ〜１７Ｃ  多孔中間床板（３枚）
１８Ａ〜１８Ｆ  多孔仕切板  （６枚）
１９Ａ〜１９Ｃ  仕切堰板    （３枚）
２０            空気抜き装置
２０Ａ          空気抜き装置取り付け穴
２１            水はね防止蓋
２２            泡防止ネット
２３            空気抜き穴入口
２４            空気抜き筒
２５            水溜まり
２６            空気抜き隙間
２７            水滴落とし
２８            空気抜き穴出口
２９            ウールマット
３０Λ，３０Ｂ  エアーストーン
３１Ａ，３１Ｂ  エアーチューブ
４０            外側筒体
４１            水取り入れ装置給水口
４２            内側筒体
４３            フイルター
４４            把手
４５            フイルター
４６            握り手
６０Ａ、６０Ｂ・軽石等の多孔濾過石
７０・・・・・・淡水又は海水等の水
８０・・・・・・活魚
９０・・・・・・空気又は酸素
ａ１〜ａ４      水の流れ
ｃ１〜ｃ５      各部分の水位
ｂ１〜ｂ６      空気の流れ
【図１】
0004032367.tif 000002
【図２】
0004032367.tif 000003
【図３】
0004032367.tif 000004
【図４】
0004032367.tif 000005
【図５】
0004032367.tif 000006
【図６】
0004032367.tif 000007
【図７】
0004032367.tif 000008
【図８】
0004032367.tif 000009
【図９】
0004032367.tif 000010
【図１０】
0004032367.tif 000011
【図１１】
0004032367.tif 000012
【図１２】
0004032367.tif 000013
【図１３】
0004032367.tif 000014
【図１４】
0004032367.tif 000015
【図１５】
0004032367.tif 000016
【図１６】
0004032367.tif 000017
【図１７】
0004032367.tif 000018
【図１８】
0004032367.tif 000019
【図１９】
0004032367.tif 000020
【図２０】
0004032367.tif 000021
【図２１】
0004032367.tif 000022